(57)【要約】【課題】  揮発物質が施術者及び被施術者の周囲に滞留し続けることを抑制することが可能な「まつ毛エクステンション用作業器具」を提供する。【解決手段】  施術者が用いるピンセット部に装着可能な空気管装着具７と、空気管装着具７に保持されるとともに、空気が流通可能な管状の空気管５であってピンセット部３の先端側に向けて開口した開口部５Ａを有する空気管５とを備える。これにより、空気管５により誘起される気流により、揮発物質が施術者及び被施術者の周囲に滞留し続けることを抑制できる。【選択図】  図１
2016069746.tif 000002
【特許請求の範囲】
【請求項１】
「人工のまつ毛」をグルーにて「自まつ毛」に接着する「まつ毛エクステンション」の作業時に用いられる作業器具において、
前記「まつ毛エクステンション」を施術する施術者が用いるピンセットに装着可能な空気管装着具と、
前記空気管装着具に保持されるとともに、空気が流通可能な管状の空気管であって、前記ピンセットの先端側に向けて開口した開口部を有する空気管と
を備えることを特徴とする「まつ毛エクステンション用作業器具」。
【請求項２】
前記開口部は空気が噴き出す吹出口であって、当該吹出口側には、噴き出される空気を拡散させるディフューザー部が設けられていることを特徴とする請求項１に記載の「まつ毛エクステンション用作業器具」。
【請求項３】
「人工のまつ毛」をグルーにて「自まつ毛」に接着する「まつ毛エクステンション」の作業時に用いられる作業器具であって、
ピンセット部と、
空気が流通可能な管状の空気管と、
前記空気管を保持する保持部を有するとともに、前記ピンセット部に装着された空気管装着具と
を備えることを特徴とする「まつ毛エクステンション用作業器具」。
【請求項４】
前記空気管装着具には、前記空気管の保持角度を変更可能とする角度調整部が設けられていることを特徴とする請求項１ないし３のいずれか１項に記載の「まつ毛エクステンション用作業器具」。
【発明の詳細な説明】
【技術分野】
【０００１】
本発明は、「人工のまつ毛」をグルー等の接着剤にて「自まつ毛」に接着する「まつ毛エクステンション」の作業時に用いられる作業器具に関する。
【背景技術】
【０００２】
「まつ毛エクステンション」では、施術者がピンセットを用いて「人工のまつ毛」を一本一本「自まつ毛」に装着する（例えば、特許文献１参照）。
【先行技術文献】
【特許文献】
【０００３】
【特許文献１】特開２０１０−２０９５０３号公報
【発明の概要】
【発明が解決しようとする課題】
【０００４】
グルーが硬化する際に揮発物質（例えば、ホルムアルデヒド）が発生する。
本発明は、上記点に鑑み、揮発物質が施術者及び被施術者の周囲に滞留し続けることを抑制することが可能な「まつ毛エクステンション用作業器具」を提供することを目的とする。
【課題を解決するための手段】
【０００５】
本発明は、上記目的を達成するために、「人工のまつ毛」をグルーにて「自まつ毛」に接着する「まつ毛エクステンション」の作業時に用いられる作業器具において、「まつ毛エクステンション」を施術する施術者が用いるピンセット（３）に装着可能な空気管装着具（７）と、空気管装着具（７）に保持されるとともに、空気が流通可能な管状の空気管（５）であって、ピンセット（３）の先端側に向けて開口した開口部（５Ａ）を有する空気管（５）とを備えることを特徴とする。
【０００６】
これにより、本発明では、空気管（５）により誘起される気流により、揮発物質が施術者及び被施術者の周囲に滞留し続けることを抑制できる。なお、空気管（５）は、空気を吹き出す場合、及び空気を吸引する場合のいずれであっても構わない。
【０００７】
なお、本発明は以下のように構成してもよい。
すなわち、開口部（５Ａ）を空気が噴き出す吹出口とするとともに、当該吹出口（５Ａ）側には、噴き出される空気を拡散させるディフューザー部（５Ｂ）を設ける。これにより、施術者及び被施術者の周囲の空気を拡散させることが可能となるので、揮発物質が施術者及び被施術者の周囲に滞留し続けることを確実に抑制できる。
【０００８】
因みに、上記各手段等の括弧内の符号は、後述する実施形態に記載の具体的手段等との対応関係を示す一例であり、本発明は上記各手段等の括弧内の符号に示された具体的手段に限定されるものではない。
【図面の簡単な説明】
【０００９】
【図１】本発明の第１実施形態に係る「まつ毛エクステンション用作業器具」の全体図である。
【図２】本発明の実施形態に係る「空気管装着具」の二面図である。
【図３】本発明の第２実施形態に係る「空気管」を示す図である。
【発明を実施するための形態】
【００１０】
以下に説明する「発明の実施形態」は実施形態の一例を示すものである。つまり、特許請求の範囲に記載された発明特定事項等は、下記の実施形態に示された具体的手段や構造等に限定されるものではない。
【００１１】
各図に付された方向を示す矢印等は、各図相互の関係を理解し易くするために記載したものである。本発明は、各図に付された方向に限定されるものではない。少なくとも符号を付して説明した部材又は部位は、「複数」や「２つ以上」等の断りをした場合を除き、少なくとも１つ設けられている。以下、本発明の実施形態を図面と共に説明する。
【００１２】
（第１実施形態）
１．「まつ毛エクステンション用作業器具」の構成
図１は、本実施形態に係る「まつ毛エクステンション用作業器具（以下、「作業具１」と記す。）の全体図である。作業具１は、ピンセット部３、空気管５及び空気管装着具７等を備えている。
【００１３】
ピンセット部３は、人工まつ毛を摘むためのものであって、施術者により把持される部位である。当該ピンセット部３は、先端側が尖った一対の板ばね部３Ａを有し、かつ、それら板ばね部３Ａの他端側が互いに接合されたものである。
【００１４】
空気管５は、空気が流通可能な管状の部材であって、ピンセット部３の先端側に向けて開口した開口部５Ａを有する。空気管５の他端側には、シリコンチューブ等の可撓性を有するチューブ６が接続される。
【００１５】
チューブ６は、コンプレッサ等の送風装置（図示せず。）の吐出口に接続される。このため、チューブ６を介して空気管５に送風された空気は、空気管５内を流通して開口部５Ａから吹き出される。つまり、本実施形態に係る開口部５Ａは、空気が吹き出す吹出口として機能する。
【００１６】
なお、空気管５に供給される空気は、流量調整弁の開度又は送風装置の作動を制御することにより調整可能である。流量調整弁の開度又は送風装置の作動を調整する手段として、本実施形態では、脚踏み式操作スイッチ（図示せず。）を採用している。
【００１７】
空気管装着具７は空気管５をピンセット部３に取り付けるための部材である。この空気管装着具７は、図２（ａ）及び図２（ｂ）に示すように、空気管５を保持する保持部７Ａ、空気管装着具７をピンセット部３に装着するための装着部７Ｂを有している。
【００１８】
保持部７Ａは空気管５が挿入可能な貫通穴にて構成されている。当該貫通穴は、空気管５を基準としてｈ７〜ｈ８程度の「すきまばめ」である。このため、空気管５を保持部（貫通穴）７Ａに挿入した状態では、空気管５は、空気管５に作用する重力によって空気管装着具７に対して移動することはない。しかし、施術者が空気管５を押圧又は引っ張ることにより、空気管５を空気管装着具７に対して移動させることができる。
【００１９】
装着部７Ｂは、一対の板ばね部３Ａの他端側が挿入可能なスリット状の凹部７Ｃ（図２（ａ）参照）、及び雌ネジが形成された一対の貫通穴７Ｄ、７Ｅ（図２（ｂ）参照）を有している。
【００２０】
各貫通穴７Ｄ、７ＥにはＰネジ等のネジを装着される。当該ネジが締め込まれると、空気管装着具７がピンセット部３に固定される。そして、貫通穴７Ｄ、７Ｅに挿入されたネジのうちいずれか一方を支点として、ピンセット部３に対する空気管装着具７の固定角度を変更すれば、空気管５の保持角度を変更することができる。
【００２１】
つまり、貫通穴７Ｄ、７Ｅ及びそれらに挿入されたネジは、空気管５の保持角度を変更可能とする角度調整部として機能する。なお、空気管装着具７のピンセット部３への組み付け手順は、例えば、以下の通りである。
【００２２】
先ず、例えば貫通穴７Ｄに挿入したネジを仮締めする。次に、貫通穴７Ｅに挿入されたネジの先端がピンセット部３に触れる程度に当該ネジを締め込む。この状態で、空気管装着具７の組み付け角度、つまり空気管５の向きを調整する。
【００２３】
そして、空気管５の向きが適切な向きとなったときに、２本のネジを締め込む。これにより、当該取付角度が維持された状態で空気管装着具７がピンセット部３に固定される。
２．本実施形態に係る作業具の特徴
本実施形態に係る作業具１では、空気管５から吹き出す空気流により、揮発物質が施術者及び被施術者の周囲に滞留し続けることを抑制できる。
【００２４】
（第２実施形態）
本実施形態に係る空気管５は、図３に示すように、吹出口、つまり開口部５Ａ側に、噴き出される空気を拡散させるディフューザー部５Ｂを設けたものである。なお、ディフューザー部５Ｂは、先端に向かうほど、穴径が拡大するようなラッパ状に形成された部位である。
【００２５】
これにより、本実施形態では、施術者及び被施術者の周囲の空気を拡散させることが可能となるので、揮発物質が施術者及び被施術者の周囲に滞留し続けることを確実に抑制できる。
【００２６】
（その他の実施形態）
上述の実施形態では、開口部３Ｂから空気を吹き出すタイプの空気管５であったが、本発明はこれに限定されるものではなく、空気を吸引するタイプの空気管５であってもよい。
【００２７】
本発明に係る保持部７Ａ、装着部７Ｂ及び角度調整部は、上述の実施形態に限定されるものではなく、その構造であってもよい。
上述の実施形態に係る空気管５及び空気管装着具７は、チタン等の耐食性に優れ、かつ、密度の小さい金属製であったが、本発明はこれに限定されるものではなく、ステンレスや樹脂等のその他素材であってもよい。
【００２８】
また、本発明は、特許請求の範囲に記載された発明の趣旨に合致するものであればよく、上述の実施形態に限定されるものではない。
【符号の説明】
【００２９】
１… 作業具
３… ピンセット部
３Ａ… 部
３Ｂ… 開口部
５… 空気管
５Ａ… 開口部
５Ｂ… ディフューザー部
６… チューブ
７… 空気管装着具
７Ａ… 保持部
７Ｂ… 装着部
７Ｃ、７Ｅ… 凹部
【図１】
2016069746.tif 000003
【図２】
2016069746.tif 000004
【図３】
2016069746.tif 000005